(57)【特許請求の範囲】
【請求項１】
インプリント成形モールドにより転写された微細パターン層を印刷用版胴に位置合わせして貼合させる印刷用版胴の製造方法であって、以下の工程：
昇降手段、該昇降の位置検知手段、回転手段、並びに該回転の回転角及び回転数検知手段を具備し、かつ、回転軸となる長軸を有する円筒状の印刷用版胴と、前記印刷用版胴に対向するように配置され、面内回転手段、該面内回転の回転角度検知手段を具備し、かつ、所定距離及び所定速度で搬送対象物を水平搬送することができる搬送ステージと、前記搬送対象物に向けて設置された２台の第一のアライメントカメラ及び前記印刷用版胴に向けて設置された２台の第二のアライメントカメラ、を含む装置を準備する工程、ここで、前記印刷用版胴及び前記搬送ステージの動作を制御することにより、前記搬送対象物を、前記印刷用版胴の長軸方向に対して所定の面内回転角度及び位置で、前記印刷用版胴に貼合することができる；
微細パターンを有するインプリント成形モールドであって、一面にメインパターン領域と少なくとも２つのアライメントパターン領域とを有し、該２つのアライメントパターン領域にはそれぞれ少なくとも１個の位置合わせ用アライメントマークを有する、前記インプリント成形モールド上に感光性又は熱硬化性樹脂組成物からなる樹脂組成物層を積層させた後に、該樹脂組成物を硬化させた、硬化樹脂層からなるモールド積層体を形成する積層工程；
前記搬送対象物として前記搬送ステージ上に載置した前記モールド積層体中の２つのアライメントマークの中心点を結ぶ線分方向と前記印刷用版胴の前記長軸方向とが平行になるように、前記搬送ステージの面内角度を制御する面内角度制御工程；
前記モールド積層体中の２つのアライメントマークの位置と前記印刷用版胴の所定位置とが合うように、前記印刷用版胴の位置と前記搬送ステージの位置とを予め位置決めする位置決め工程；並びに
前記印刷用版胴を所定回転数で回転させるとともに、前記搬送ステージを該回転速度に同期するように水平搬送し、前記モールド積層体中の２つのアライメントマークと前記印刷用版胴の所定位置とが合うように、前記硬化樹脂層を前記印刷用版胴に貼合すると同時に、前記インプリント成形モールドを前記搬送ステージ上に残しながら、前記硬化樹脂層と前記インプリント成形モールドを離間させて、前記硬化樹脂からなる微細パターン層が所定位置に貼合された印刷用版胴を得る、貼合・離間工程；
を含む前記方法。
【請求項２】
前記積層工程における硬化樹脂層の硬化前の樹脂組成物の粘度が、１〜５０Pa・sである、請求項１に記載の方法。
【請求項３】
前記積層工程における硬化樹脂層の厚みが、０．１〜３mmである、請求項１又は２に記載の方法。
【請求項４】
前記貼合・離間工程において、印刷用版胴の表面に接着機能を予め付与しておく、請求項１〜３のいずれか一項に記載の方法。
【請求項５】
昇降手段、該昇降の位置検知手段、回転手段、並びに該回転の回転角及び回転数検知手段を具備し、かつ、回転軸となる長軸を有する円筒状の印刷用版胴と、前記印刷用版胴に対向するように配置され、面内回転手段、該面内回転の回転角度検知手段を具備し、かつ、所定距離及び所定速度で搬送対象物を水平搬送することができる搬送ステージと、前記搬送対象物に向けて設置された２台の第一のアライメントカメラ及び前記印刷用版胴に向けて設置された２台の第二のアライメントカメラ、を含み、前記印刷用版胴及び前記搬送ステージの動作を制御することにより、前記搬送対象物を、前記印刷用版胴の前記長軸方向に対して所定の面内回転角度及び位置で、前記印刷用版胴に貼合することができる、請求項１〜４のいずれか一項に記載の方法に用いる印刷用版胴製造装置。
【発明の詳細な説明】
【技術分野】
【０００１】
本発明は印刷用版胴上の所望する位置に簡便に歪の小さい微細パターンを形成できる、印刷用版胴の製造方法及び製造装置に関する。
【背景技術】
【０００２】
最近、エレクトロニクス分野では、省エネ、省資源、高生産性で製造する「プリンテッドエレクトロニクス技術」が注目されており、特にフレキシブルディスプレイやセンサーなどの大面積フレキシブルデバイスの早期実現をめざし、当該デバイス中の微細な配線パターンをロール・ツー・ロール方式による印刷法で形成させようとする開発が鋭意進められている。
【０００３】
ロール・ツー・ロール方式による印刷方法においては、印刷版として円筒状の版胴やスリーブが用いられ、これらの表面には様々な凸凹パターンが形成され、これによりデバイス上に様々な形状の配線や線幅、線厚の異なる配線が転写される。
【０００４】
しかし、ロール・ツー・ロール方式による印刷法自体は省エネ、省資源でかつ生産性に優れているものの、パターンが形成される工程においては、依然その大半が煩雑で人手を要するものであった。特にエレクトロニクス分野では凸凹パターンの微細化とともに極めて高いパターンの位置精度が要求されており、多大な労力なしでは達成なしえない場合が多かった。
【０００５】
円筒状の版胴（印刷版）の表面に凸凹のパターンを形成する方法としては、化学的な腐食を用いる方法やレーザー直描方法によって版胴に直接パターンを形成する方法が一般的であったが、最近ではフレキソ印刷分野において検討されている方法、すなわち、予めパターンが形成されたシート状の印刷版を版胴に巻きつけて取り付ける方法、又はパターンが形成されていないシート状の印刷物を版胴に巻きつけておいてから後でパターン形成する方法などが注目されている。
【０００６】
最近注目されつつある方法として、たとえば文献１には、予めパターンが形成されたシート状の印刷原版をその両端部を突き合わせて円筒状支持体状に貼りつける方法が提示されている。その目的とするところは、従来ではシート状の印刷物を版胴に貼りつける際に、精度良く位置合わせするためには相当な時間を要することや、版胴とシート状の印刷物との間に隙間ができないように慎重に作業する必要があったのに対して、その解決技術を提供するものであったが、貼り込んだ版の頭と尻側で位置がずれていた場合などは、版を剥がして改めて貼り込む作業が強いられるなど、依然問題が無いわけではなく検討を要する。
【０００７】
又、文献２にはリソグラフィー法でパターン形成したシリコンウエハーの裏面を、研磨により薄膜シリコーンシート状にしたものを版胴に巻きつける方法が開示されているが、シートを固定するのに溶融インジウムを使っていて、パターンの高精度な位置合わせや位置修正などが困難であり、さらにパターン形成から薄膜シリコーンシート作製及びシートの版胴への取り付ける工程に多大な労力と時間を要す。
【０００８】
さらに文献３では、予め両面粘着テープを転写ロールに貼り込んでおいた後で、印刷用スリーブを転写ロールに圧接させてお互いに同期回転させることにより、転写ロールに貼り込んである粘着テープを印刷用スリーブに転写させ、転写された印刷用スリーブにフレキソ印刷版を貼りつけることにより、印刷用スリーブとフレキソ印刷版が一体化したスリーブ印刷版を得る方法が開示されている。この方法では、先述した両面テープを転写ロールに貼り込んだあとで所望パターンに断裁し、転写ロール外周面の不要粘着テープの剥離除去や転写用粘着テープから剥離紙を剥がすなどの作業を行いながら、粘着テープの貼り込み状態を肉眼でチェックして異常があれば修正するなどといったような作業が必要となり、依然面倒な手作業を強いられるだけでなく、又、この方法ではエレクトロニクス分野で求められる高精度なパターンの位置決めは難しい。
【先行技術文献】
【特許文献】
【０００９】
【特許文献１】特開２０１４−４６６２３号公報
【特許文献２】特開２０１２−２０８４２０号公報
【特許文献３】特許第４４９９３７６号公報
【特許文献４】特開昭５１−１０６５０１４号公報
【特許文献５】特開昭４７−３７５２１号公報
【非特許文献】
【００１０】
【非特許文献１】フォトポリマー懇話会著、「フォトポリマーハンドブック」（株）工業調査会出版、１９８９年６月２６日、ｐ．３１−３６
【発明の概要】
【発明が解決しようとする課題】
【００１１】
このように、従来の技術では位置合わせに多大の労力と時間を要し、印刷用の版胴上の所望の位置にパターンを精度よく形成することが困難であり、改善の余地があった。
【００１２】
本発明はこのような背景技術の問題点に着目されてなされたものであり、位置合わせに要する手作業を大幅に減らし、短時間で簡便にかつ高精度で、印刷用版胴上の所望する位置に歪の小さい微細パターンが形成された、印刷用版胴の製造方法及び製造装置を提供するものである。
【課題を解決するための手段】
【００１３】
本発明は上記課題を解決するために鋭意検討を重ねた結果、インプリント成形モールド内にアライメントマークが設けられ、硬化樹脂からなるパターン転写層が積層されたモールド積層体を、印刷用版胴に対向するように設置された搬送ステージ上に固定し、該モールド積層体のアライメントマーク及び該印刷用版胴に向かってそれぞれ設置されたアライメントカメラにより、該モールド積層体が該印刷用版胴の軸方向に対して平行でかつ該印刷用版胴の所定位置に貼合されるよう該印刷用版胴及び該搬送ステージの動作を制御した上で、該印刷用版胴を回転降下させるとともに該搬送ステージを該回転速度に同期搬送させて、該印刷用版胴に該モールド積層体を貼合させると同時に、該インプリント成形モールドを該搬送ステージ上に残しながら、該硬化樹脂層と該インプリント成形モールドを離間する方法により、該硬化樹脂層からなる微細パターン層が印刷用版胴上の所望する位置に貼合された印刷用版胴が得られる知見を得て、本発明の製造方法及び製造装置を完成するに至った。
【００１４】
すなわち、請求項１に係る本発明は、インプリント成形モールドにより転写された微細パターン層を印刷用版胴に位置合わせして貼合させる印刷用版胴の製造方法であって、以下の工程：昇降手段、該昇降の位置検知手段、回転手段、並びに該回転の回転角及び回転数検知手段を具備し、かつ、回転軸となる長軸を有する円筒状の印刷用版胴と、前記印刷用版胴に対向するように配置され、面内回転手段、該面内回転の回転角度検知手段を具備し、かつ、所定距離及び所定速度で搬送対象物を水平搬送することができる搬送ステージと、前記搬送対象物に向けて設置された２台の第一のアライメントカメラ及び前記印刷用版胴に向けて設置された２台の第二のアライメントカメラ、を含む装置を準備する工程、ここで、前記印刷用版胴及び前記搬送ステージの動作を制御することにより、前記搬送対象物を、前記印刷用版胴の軸方向に対して所定の面内回転角度及び位置で、前記印刷用版胴に貼合することができる；微細パターンを有するインプリント成形モールドであって、一面にメインパターン領域と少なくとも２つのアライメントパターン領域とを有し、該２つのアライメントパターン領域にはそれぞれ少なくとも１個の位置合わせ用アライメントマークを有する前記インプリント成形モールド上に感光性又は熱硬化性樹脂組成物からなる樹脂組成物層を積層させた後に、該樹脂組成物を硬化させた、硬化樹脂層からなるモールド積層体を形成する積層工程；前記搬送対象物として前記搬送ステージ上に載置した前記モールド積層体中の２つのアライメントマークの中心点を結ぶ線分方向と前記印刷用版胴の前記長軸方向とが平行になるように、前記搬送ステージの面内角度を制御する面内角度制御工程；前記モールド積層体中の２つのアライメントマークの位置と前記印刷用版胴の所定位置とが合うように、前記印刷用版胴の位置と前記搬送ステージの位置とを予め位置決めする位置決め工程；並びに前記印刷用版胴を所定回転数で回転させるとともに、前記搬送ステージを該回転速度に同期するように水平搬送し、前記モールド積層体中の２つのアライメントマークと前記印刷用版胴の所定位置とが合うように、前記硬化樹脂層を前記印刷用版胴に貼合すると同時に、前記インプリント成形モールドを前記搬送ステージ上に残しながら、前記硬化樹脂層と前記インプリント成形モールドを離間させて、前記硬化樹脂からなる微細パターン層が所定位置に貼合された印刷用版胴を得る、貼合・離間工程；を含む前記方法である。
又、請求項２に係る本発明は、前記積層工程における硬化樹脂層の硬化前の樹脂組成物の粘度が、１〜５０Pa・sである、請求項１に記載の方法である。
又、請求項３に係る本発明は、前記積層工程における硬化樹脂層の厚みが、１〜３mmである、請求項１又は２に記載の方法である。
又、請求項４に係る本発明は、前記貼合・離間工程において、印刷用版胴の表面に接着機能を予め付与しておく、請求項１〜３のいずれか一項に記載の方法である。
本発明では、次のような印刷用版胴の所望する位置に歪が小さい凸凹パターンが転写された印刷用版胴の製造装置を提供することもできる。
すなわち、印刷用版胴面に直接的に歪の小さい凸凹パターンが転写された印刷用版胴の製造装置であって、この請求項５に係る本発明は、昇降手段、該昇降の位置検知手段、回転手段、並びに該回転の回転角及び回転数検知手段を具備し、かつ、回転軸となる長軸を有する円筒状の印刷用版胴と、前記印刷用版胴に対向するように配置され、面内回転手段、該面内回転の回転角度検知手段を具備し、かつ、所定距離及び所定速度で搬送対象物を水平搬送することができる搬送ステージと、前記搬送対象物に向けて設置された２台の第一のアライメントカメラ及び前記印刷用版胴に向けて設置された２台の第二のアライメントカメラ、を含み、前記印刷用版胴及び前記搬送ステージの動作を制御することにより、前記搬送対象物を、前記印刷用版胴の前記長軸方向に対して所定の面内回転角度及び位置で、前記印刷用版胴に貼合することができる、請求項１〜４のいずれか一項に記載の方法に用いる印刷用版胴製造装置である。
【発明の効果】
【００１５】
本発明はこのような従来技術の問題点に着目されてなされたものであり、位置合わせに要する手作業を大幅に減らし、短時間で簡便にかつ高精度で、印刷用版胴上の所望する位置に歪の小さい微細パターンが形成された、印刷用版胴の製造方法及び製造装置を提供するものである。
【図面の簡単な説明】
【００１６】
【図１】本発明に係るモールド積層体の断面模式図である。
【図２】本発明に係る、設置台、印刷用版胴、印刷用版胴駆動部、搬送ステージ、ステージ搬送用の一対のガイド、ステージ上に固定されるモールド積層体、搬送ステージに向けて設置された２台の第一のアライメントカメラ、印刷用版胴に向けて設置された２台の第二のアライメントカメラ、カメラ用のガイドレール、カメラ支持柱及びコンピューター等の各々の配置構成を示す平面模式図である。
【図３】本発明に係るアライメントカメラにより、モールド積層体内の２つのアライメントマークの中心点を結ぶ線分と印刷用版胴の長軸方向との角度を制御する工程（図３（Ａ）が制御前で、図３（Ｂ）が制御後）を示す説明図である。
【図４】本発明に係るモールド積層体が印刷用版胴へ貼合（図４（Ａ））及び離間（図４（Ｂ））される工程を示す側面模式図である。
【図５】本発明に係る印刷用版胴の昇降位置を決めるために、印刷用版胴と搬送ステージを接触させている状態を示す側面模式図である。
【図６】本発明に係るアライメントカメラにより、搬送ステージ上に固定されたモールド積層体の角度制御する工程を示す説明図である。
【図７】本発明に係るアライメントカメラにより、印刷用版胴上の特定位置の位置決め工程（図７（Ａ）は位置決め前、図７（Ｂ）は位置決め後）を示す説明図である。
【図８】本発明に係る印刷用版胴の特定位置を版胴の初期角度に制御し、ニップライン地点まで回転させて、モールド積層体中のアライメントマークと貼合するまでの工程（図８（Ａ）は貼合前で、図８（Ｂ）は貼合時）を示す側面模式図である。
【図９】本発明に係る貼合前におけるモールド積層体中のインプリント成形モールドに形成された凸凹パターン領域間の長さを、アライメントカメラを用いて、図９（Ａ）の状態から図９（Ｂ）に移行させることによって計測する方法の説明図である。
【図１０】本発明に係る貼合後における印刷用版胴に転写された硬化樹脂層の凸凹パターン領域間の長さを、アライメントカメラを用いて図１０（Ａ）の状態から図１０（Ｂ）に移行させることによって計測する方法を示す説明図である。
【発明を実施するための形態】
【００１７】
本発明が容易に実施可能な製造装置を図面に基づいて言及しながら、本発明の印刷用版胴の製造方法及び製造装置についての一実施の形態を説明する。
【００１８】
但し、本発明は、以下の説明及び図１〜図１０により理解されるものであるが、本発明の実施の形態が、それらに限定されるものではない。
【００１９】
以下、本発明の製造工程に沿って積層工程からその詳細について説明する。
【００２０】
（積層工程）
図１は、本発明のモールド積層体１０の概略構成を説明するための側面模式図である。このモールド積層体１０は、メインパターン領域１０１１と２つのアライメントパターン領域１０１２とを有するインプリント成形モールド１１と、インプリント成形モールド１１上に感光性又は熱硬化性樹脂組成物からなる樹脂組成物層を積層させた後に、該樹脂組成物を硬化させた、硬化樹脂層１３からなるモールド積層体１０である。２つのアライメントパターン領域は、平面視したモールドの主面の隣接する２つの隅に位置する。図２の方向で平面視するとモールドの主面の右上隅と左上隅の２か所に位置する。メインパターン領域１０１１は平行なライン＆スペースパターンで形成され、２つのアライメントパターン領域１０１２には、それぞれ１つのアライメントマーク１２が設けられている。２つのアライメントマークの中心点を結ぶ線分はメインパターン領域のパターンライン３６に平行である。
【００２１】
本発明に用いられるインプリント成形モールド１１としては、公知のものを適用できる。例えば石英、合成石英やソーダガラスなどの透明ガラス板を基板として、該基板の片方の主面上にフォトリソグラフィ又は電子線リソグラフィによって凸凹パターンが形成されたインプリント成形モールド１１である。他に、シリコン、ニッケル又は硬質樹脂板を基板として、該基板の片方の主面上に凹凸部が形成されてなるものや、これらの基板の片方の主面をエッチング等により賦型したものや、レジスト材料等による凸部を形成したものも使用できる。これらの中で厚み分布や固定のし易さ、さらに描画精度及び熱膨張性の観点から、石英や合成石英を基板とするインプリント成形モールドが望ましい。基板の厚みは１〜５ｍｍが好ましく、３〜５ｍｍがより好ましい。厚みが１ｍｍ以上であれば基板がたわみにくい。また厚みが５ｍｍ以下であれば光の透過性にすぐれる。
【００２２】
インプリント成形モールド１１のメインパターン領域１０１１における凹凸パターンの形状は、特に限定されず、インプリントの用途に応じて適宜選択される。例えば典型的なパターンとしてライン＆スペースからなるパターンである。そして、ライン＆スペースの凸部の長さ、凸部の幅、凸部同士の間隔及び凹部底面からの凸部の高さ（凹部の深さ）は適宜設定される。
【００２３】
一例として、例えば、凸部の幅は１〜５０μｍ、より好ましくは５〜３０μｍであり、凸部同士の間隔は５〜１０００μｍ、より好ましくは５〜５０μｍであり、凸部の高さは１〜５０μｍ、より好ましくは１〜３０μｍである。さらに好ましくは、１〜１５μｍである。又、凹凸パターンを構成する凸部の形状は、矩形、円及び楕円等の断面を有するドットが配列したような形状でもよい。
【００２４】
インプリントによって精密にパターンを形成し、印刷用版胴２１にパターンを高精度で転写するためには、インプリント成形モールド１１のパターンを正確に形成することの他に、インプリント成形モールド１１と印刷用版胴２１との位置合わせが重要である。そこで、インプリント成形モールド１１には、メインパターン領域１０１１（モールド上のパターンであって、被加工物がその機能を発現するために本来転写されるべき対象となるパターンを有する領域）の他に、アライメントパターン領域１０１２（モールド上のパターンであって、位置合わせに使用されるアライメントマークを設けるために被加工物に転写されるパターンを有する領域）が形成される。
【００２５】
アライメントパターン領域は、アライメントマークが平面視したときに凹部を有さない形状、例えば円や凸多角形の場合は、アライメントマークそのものが占める領域を意味する。また、アライメントマークが平面視したときに凹部を有する形状、例えば十字型や凹多角形の場合は、該凹部がなくなるように隣接する端点をつなぐ線分とで構成した三角形により補完して凸多角形とした領域を意味する。
【００２６】
インプリント成形モールド１１内のアライメントマーク１２は、マーク検出時のコントラスト向上のために、インプリント成形モールド１１の凸部又は凹部に金属材料並びに金属材料の酸化物、窒化物、酸窒化物、ケイ素化合物、炭化物及びホウ化物の少なくとも1種（以下、上記の金属化合物も含めて「金属」という。）を含むことが好ましい。該金属の例としては、視認性、及び膜応力の観点からアルミニウム、金、クロム、スズ、Ｓｉ０２、ＺｒＯ２、Ａｌ２Ｏ３及びＴiＯ２等が好ましい。具体的には、凸部又は凹部に該金属を含む含金属膜１２を設けることがあげられる。なお、後述するアライメントカメラで検出可能であれば、このような含金属膜を設けない態様、凸部及び凹部に含金属膜を設けた態様であってもよい。
【００２７】
アライメントマーク１２は光の透過性を高めるため、又は、膜応力による歪を軽減するために、アライメントパターン領域１０１２のみ含金属膜が存在するようにして、マークの視認性に影響の少ない領域、例えばメインパターン領域１０１１には、含金属膜が存在しないことが好ましい。含金属膜の厚みはコントラストを得る観点から１０ｎｍ以上であることが好ましく、３０ｎｍ以上であることがより好ましく、５０ｎｍ以上であることが特に好ましい。また、膜応力による歪の発生を軽減する観点から、１０００ｎｍ以下が好ましく、５００ｎｍ以下がより好ましく、１００ｎｍ以下が特に好ましい。
【００２８】
本実施形態では、凸部又は凹部のアライメントパターン部にアライメントマーク１２を設けることができる。
凸部にアライメントマークを設ける方法として、例えば凸部にクロム膜を設ける場合には、インプリント成形モールド１１としてガラス平板を用い、モールド１１のアライメントパターン領域１０１２の全面にクロム膜を形成した後で、レジスト膜を形成する。レジスト膜をパターン露光して現像し、残されたレジストパターンをマスクとして、後で凹部となるアライメントパターン領域のＣｒ膜を除去する。そのうえでクロムに対してガラスのエッチング選択性の高い反応性エッチングガスを用いて、ガラス部をエッチングしてレジスト膜を除去することにより、凸部にクロム膜からなるアライメントマーク１２が設けられた凸凹構造のインプリント成形モールド１１を形成することができる。
【００２９】
凹部にアライメントマークを設ける方法として、例えば凹部にクロム膜を設ける場合には、インプリント成形モールド１１としてガラス平板を用い、モールド１１の片面にレジスト膜を形成する。レジスト膜をパターン露光して現像し、残されたレジストパターンをマスクとして反応性エッチングガスを用いて、ガラス部をエッチングする。モールド１１のアライメントパターン領域１０１２の全面にクロム膜を形成した後で、レジスト膜を除去することにより、凹部にクロム膜からなるアライメントマーク１２が設けられた凸凹構造のインプリント成形モールド１１を形成することができる。
【００３０】
ここで、モールドのアライメントパターン領域１０１２に含金属膜を積層する方法としては、真空蒸着法もしくはスパッタリング法などのＰＶＤ法、またはＣＶＤ法が使用できる。メインパターン領域１０１１に含金属膜が形成されないようにするためには、製膜時にマスク等の遮蔽板を使用すればよい。
【００３１】
レジストとしてはクロム膜との関係でエッチング選択比を担保しやすい材料を選択することが好ましい。具体的には、ポジ型またはネガ型のフォトレジストや電子線レジストが挙げられる。ポジ型レジスト、例えばノボラック樹脂と光酸発生剤を含む組成物、を使用した場合は、露光された部分が現像で除去される。また、ネガ型レジスト、例えばアクリレート系紫外線硬化型樹脂と光ラジカル発生剤とを含む組成物、またはエポキシ樹脂と光酸発生剤とを含む組成物、を使用した場合は、露光されていない部分が現像で除去される。現像液は使用するフォトレジストに対応するものを使用すればよい。例えば、ノボラック樹脂と光酸発生剤を含むポジ型レジストの場合は、テトラメチルアンモニウムヒドロキサイド（ＴＭＡＨ）の水溶液が例示される。
【００３２】
又、本実施形態では、レジスト膜をマスクにしてクロム膜エッチング液（例えば、硝酸セリウムアンモニウムと硝酸または過塩素酸を含むエッチング液）によりクロム膜を除去することができるが、含金属膜の除去はその金属に応じた公知の除去法が使用可能であり、必ずしもこの方法に限られるものではない。
【００３３】
又、ガラス部のエッチングには、湿式エッチング、または乾式エッチングが使用可能である。湿式エッチング用のエッチング液としてはフッ化水素酸が挙げられる。乾式エッチング（反応性イオンエッチング）用のガスとしては、六フッ化硫黄、四フッ化炭素、トリフルオロメタンが挙げられる。
【００３４】
レジスト膜の除去には、アッシング、または公知のフォトレジスト剥離液を使用することができる。
【００３５】
２つのアライメントマーク１２と、メインパターン内のパターンライン３６とを平行にすることは、例えば上記で示したように、モールド１１にパターンを形成する際に用いたレジストマスクの形状を設計段階において２つのアライメントマークの中心点を結ぶ線分とメインパターンのパターンラインとを平行になるようにすることによってなされる。
【００３６】
アライメントマーク１２の形状は特に限定されるものではないが、マーク１２の中心位置が視認し易い形状、たとえば円形や十文字状の形態などが視認しやすいので好ましい。
【００３７】
アライメントマーク１２の大きさは、マーク１２が円形の場合には、その直径が１０〜１５００μｍで、十字状の場合には縦横の長さが各々１０〜１０００μｍであると、マーク１２が認識しやすくかつアライメント精度が向上するので好ましい。それぞれ３０〜５００μｍであるとさらに精度が向上する。又マーク１２の凹部の深さは、０．１〜１０μｍであると同様に精度が向上して好ましい。
【００３８】
アライメントパターン領域１０１２は、通常、メインパターンに対応したメインパターン領域１０１１とは別に、図２のモールド積層体１０においてはインプリント成形モールド１１の主面の右上と左上の隅に各々、一つずつ設けられることが好ましい。
【００３９】
上記の方法により、インプリント成形モールド１１のアライメント領域１０１２に、２つのアライメントマーク１２の前記中心点を結ぶ線分が、メインパターン領域１０１１のパターンラインに平行になるようにアライメントマーク１２を設けることができる。
【００４０】
次に感光性又は熱硬化性樹脂組成物について説明する。
【００４１】
まず感光性樹脂組成物としては、一般的には、例えば、ラジカル重合系、光カチオン重合系、光アニオン重合系、光二量化反応系等の重合性樹脂組成物が適用可能である。以下、汎用的な例であるラジカル重合性樹脂組成物について説明する。ラジカル重合性樹脂組成物の多くが本発明に適用され得るが、その中で代表的なものとしてプレポリマー、モノマー、開始剤及び熱重合禁止剤を配合した組成物が使用可能である。この場合、プレポリマーとモノマーとの配合比率やこれらの種類、プレポリマーの分子量等によって、感光性樹脂組成物の粘度が決定される。
【００４２】
プレポリマーは重合性二重結合を分子中に１個以上有し、例えば不飽和ポリエステル、不飽和ポリウレタン、不飽和ポリアミド、不飽和ポリアクリレート樹脂、不飽和ポリメタクリレート樹脂、シリコーンゴム及びこれらの各種変性物等のうち少なくとも１種類を用いたものを挙げることができる。
【００４３】
モノマーは重合性二重結合を有するエチレン性不飽和単量体であり、例えば、スチレン、クロロスチレン、ビニルトルエン、ジアリルフタレート、ジアリルイソフタレート、トリアリルシアヌレート、Ｎ，Ｎ’−メチレンビスアクリルアミド、メタクリルアミド、Ｎ−ヒドロキシエチルアクリルアミド、Ｎ−ヒドロキシメタクリルアミド、α−アセトアミド、アクリルアミド、アクリル酸、メタクリル酸、α−クロロアクリル酸、パラカルボキシスチレン、２，５−ジヒドロキシスチレン、トリエチレングリコールジアクリレート、トリエチレングリコールジメタクリレート、及び非特許文献１に記載の材料等を用いることができる。
【００４４】
開始剤としては、公知の光重合開始剤又は熱重合開始剤を用いることができる。例えば、ベンゾイン、ベンゾインイソブチルエーテル、ベンゾインイソプロピルエーテル、ベンゾフェノン、ミヒラーケトン、キサントン、チオキサントン、クロロキサントン、アセトフェノン、２，２−ジメトキシ−２−フェニルアセトフェノン、ベンジル、２，２−ジメチル−２−ヒドロキシアセトフェノン、（２−アクリロイルオキシエチル）（４−ベンゾイルベンジル）ジメチル臭化アンモニウム、チオフェノール、２−ベンゾチアゾールチオール、２−ベンゾオキサゾールチオール、２−ベンズイミダゾールチオール、ジフェニルスルフィド、デシルフェニルスルフィド、ジ−ｎ−ブチルジスルフィド、ジベンジルスルフィド、ジベンゾイルジスルフィド、ジアセチルジスルフィド、ジボニルジスルフィド、ジメトキシキサントゲンジスルフィド、１，３−ジオキソラン、Ｎ−ラウリルピリジニウム等が例示できる。
【００４５】
又、少なくとも未加硫ゴム、重合性二重結合を有する単量体、重合開始剤からなる光重合性ゴム組成物、いわゆる感光性エラストマーといわれているもの（例えば特許文献４及び特許文献５）や、ジアルキルシリコン系樹脂等の使用も可能である。
【００４６】
熱重合禁止剤としては、ハイドロキノン、モノ第三ブチルハイドロキノン、ベンゾキノン、２，５−ジフェニル−ｐ−ベンゾキノン、ピクリン酸、ジ−ｐ−フルオロフェニルアミン、ｐ−メトキシフェノール、２，６−ジ第三ブチル−ｐ−クレゾールなどを挙げることができる。
【００４７】
モールド積層体を形成する積層工程において、本発明に使用できる感光性樹脂組成物を使用する場合、次の工程である搬送ステージ２２の面内角度制御工程において、モールド積層体１０内の硬化樹脂層１３の上から第一のアライメントカメラ２３により下層にあるインプリント成形モールド１１内に設けられた２つのアライメントマーク１２を検知するため、硬化樹脂層１３は可視光を透過する必要がある。又、最後の工程である貼合・離間工程において、硬化樹脂層１３は円筒状の印刷用版胴２１に貼合されるので、可撓性があり寸法安定性の優れたものが好ましい。
【００４８】
これに適した該感光性樹脂組成物の具体例としては、これに適した該感光性樹脂組成物の具体例としては、ＡＰＲ（登録商標；旭化成イーマテリアルズ（株）製）、ＡＦＰ（登録商標；旭化成イーマテリアルズ（株）製）、サイレル（デュポン（株）製）、紫外線硬化型液状シリコーンゴム（ＰＤＭＳ）（信越化学（株）製）等がある。常温で粘度が高いものを加温し、粘度を調整して使用することもできるし、モノマー成分を添加して粘度を調整して使用することもできる。
【００４９】
本発明で使用される熱硬化性樹脂としては、ケイ素樹脂、ポリエステル樹脂、エポキシ樹脂、フェノール樹脂、尿素樹脂、メラミン樹脂、アリルエステル、アクリル樹脂、ポリイミド、ウレタン樹脂、ノルボルネン系のような環状脂環式樹脂等が挙げられるが、上記同様に可視光透過する必要があるので、これらの中でもケイ素樹脂、アクリル系樹脂、ノルボルネン系樹脂、ウレタン樹脂が好ましい。
【００５０】
熱硬化性樹脂組成物は感光性樹脂組成物と同様に硬化後に可視光透過する必要がある。又、可撓性があり寸法安定性の優れたものが好ましい。これに適した該熱硬化性樹脂組成物の具体例としては、ポリジメチルシロキサン（信越化学(株)製）等が特に好ましい。又、必要に応じて、公知の架橋剤、熱硬化剤又は前記の熱開始剤などを添加してもよいし、モノマー成分を添加して粘度を調整して使用することもできる。
【００５１】
本発明におけるモールド積層体１０は以下に示す方法により積層するのが好ましい。まずインプリント成形モールド１１を略水平に固定した状態で、スリットダイなどを使って感光性又は熱硬化性樹脂組成物からなる樹脂組成物を塗布する。スリットダイの代わりにドクターブレードなどによる塗布機構を別途用いても良いし、カーテンコーターやスプレイコーター、バーコーター、グラビアコーターなどの公知の塗布機構を設置することももちろん可能である。モールドが略水平でない場合には、該樹脂組成物の流動や塗工むらが発生し、本発明の効果が良好には得られない。なお本明細書における略水平とは、厚みむらの観点から許容される程度に水平であることを意味し、積層工程における設置時のモールド積層体１０の上面端部の高低差が１０μｍ以下であることが好ましい。尚、インプリント成形モールド１１自体が、厚みむらが大きい場合や水平な固定自体が困難な場合には使用に適さない。
【００５２】
該樹脂組成物の粘度は、１〜５０Ｐａ・ｓであり、好ましくは２〜２０Ｐａ・ｓであり、さらに好ましくは３〜１５Ｐａ・ｓである。粘度がこの範囲内にあると、樹脂層の塗布後の平坦性が保たれるし、又、硬化後の硬化樹脂層１３の厚みも所望の厚みになるので好ましい。
【００５３】
尚、本発明では、必要に応じて硬化樹脂層１３の層形成側の表面に離型層を有するインプリント成形モールド１１であってもよい。すなわち、インプリント成形モールド１１の表面に離型処理を行ない、硬化樹脂層１３との剥離を容易にし、メインパターンやアライメントパターンの欠損を低減することが可能である。離型処理としては市販のシリコン系、テフロン（登録商標）系に代表される離型剤のコーティングや、パーフルオロ基を有するシランカップリング剤等による表面処理が挙げられる。
【００５４】
必要に応じて、インプリント成形モールド１１上に塗工された該樹脂組成物からなる層の上に基材を積層することも可能である。基材としては、硬化樹脂層１３の場合と同様に、紫外線及び可視光透過する材質である必要があり、又、樹脂硬化前後の寸法安定性の高いものが好ましく使用される。例えば、ポリエチレンシート、ポリプロピレンシートなどのポリオレフィンシートなどが好適に用いられる。又、ポリエステル（例えばＰＥＴ（ポリエチレンテレフタレート）、ＰＢＴ（ポリブチレンテレフタレート）、ポリエチレンナフタレート（ＰＥＮ））、ＰＡＮ（ポリアクリロニトリル）やポリ塩化ビニルなどのプラスチック樹脂、スチレン−ブタジエンゴムなどの合成ゴム、ガラスファイバーで補強されたプラスチック樹脂（エポキシ樹脂やフェノール樹脂など）製のシートが挙げられる。これらの中でも、透明支持体であり、硬化前後の寸法安定性に優れるＰＥＮシートであることがより好ましい。
【００５５】
基材として、積層される側の裏面に粘着剤付の基材を用いてもよい。
【００５６】
この場合、所望する硬化樹脂層１３の厚みを確保する目的で、スペーサーをインプリント成形モールド１１と基材の間に挟むことも好適に行われる。好適なスペーサーとしてシクネスゲージ(隙間ゲージ）を挙げることができる。又、さらに硬化樹脂層１３と基材との密着力を高めるためや平坦性を向上させるために、基材の上部にガラス板を積層することも好適に用いられる。
【００５７】
引き続き、このように積層されてなるモールド積層体１０の樹脂組成物側（基材を用いた場合には基材面側）から光照射又は加熱により該樹脂組成物を硬化させる。当該感光性樹脂組成物の場合は、紫外線の照度は特に限定されず、該感光性樹脂組成物の感光特性や厚みから適宜決定すればよい。一般的には、波長が３６５ｎｍのメタルハライドランプや高圧水銀灯を用いて５００〜３０００ｍＪ／ｃｍ２の条件のもとで行なわれる。特に、より高精細なパターン解像性が求められる場合には、平行光の紫外線で露光することが好ましい。又、基材は、表面にハレーション防止層（紫外線吸収層）が設けられたものであってもよい。
【００５８】
該熱硬化性樹脂の硬化は通常１００〜１５０℃、１０〜２００分の加熱下で行われる。
【００５９】
上部に基材やガラス板を積層した場合や、さらに基材とモールドの間に設けたスペーサーは、樹脂組成物を硬化させた後に適宜除去されて、インプリント成形モールド１１に形成されたパターンが硬化樹脂層１３に転写されてなる、モールド積層体１０が得られる。
【００６０】
得られたモールド積層体１０中の硬化樹脂層１３の厚みは０．１〜３ｍｍが好適である。３ｍｍよりも厚くなると印刷用版胴２１に貼合し難くなるし、硬化樹脂層１３の材質にもよるが、貼合時にクラックが入ったり割れたりしやすくなるので好ましくない。又、０．１ｍｍよりも薄くなると、ハンドリングが難しく、貼合し難くなり好ましくない。尚、硬化樹脂層１３の厚みは、モールド積層体１０の厚みからインプリント成形モールド１１の凸部の厚みを除して求める。インプリント成形モールド１１の凸部及び凹部の厚み測定は、微細形状測定機（株式会社  小坂研究所製  サーフコーダ ＥＴ４００Ｌ）で測定し、１０箇所の平均値として求めた。モールド積層体１０の厚みはデジタルシクネスゲージ（株式会社ミスミ製  ＤＥＳ−３０１０）により測定した。
【００６１】
以下に一例として、本発明で使用されるインプリント成形モールド１１上に熱硬化性樹脂であるジメチルシロキサン樹脂及び基材としてＰＥＮシートを積層し、樹脂を硬化させた後に基材を剥離して、モールド積層体１０が得られる例を示す。
【実施例】
【００６２】
（実施例１）
基板として、厚さが３．０ｍｍのソーダライムガラス板（２１０ｍｍ×２９７ｍｍ）を用意し、前述の方法により、表面にラインアンドスペースの凸凹部を有するメインパターン領域１０１１を設けたインプリント成形モールド１１を得た。微細形状測定機で測定した凸部と凹部の高さの差は３μｍで、ラインアンドスペース幅は最小１０μｍ／１０μｍであった。
【００６３】
２つのアライメントマーク１２の中心位置を結ぶ線分は、このインプリント成形モールド上にメインパターン領域１０１１内のパターンラインに平行になるように設けた。
【００６４】
前述したように、基板のアライメントマーク１２を付与する領域全面にクロム膜を形成した後で、レジスト膜を形成し、パターン露光、現像後、残されたレジスト膜をマスクとして、後で凹部となる箇所のクロム膜を除去した。そのうえでクロムに対してガラスのエッチング選択性の高い反応性エッチングガスにより、ガラス部をエッチングし、残されたレジスト膜を除去することにより、メインパターン領域１０１１にはクロム膜がなく、アライメントパターン領域１０１２の凸部にクロム膜が設けられた凸凹構造のインプリント成形モールド１１を形成した。形成されたアライメントマーク１２は直径が１５０μｍの円形であった。アライメントマーク１２の中心の位置は、２つのアライメントマーク１２が図３で右上隅と左上隅となるように置いたときに、角から２３．５ｍｍ、２３．５ｍｍ離れた位置であった。
【００６５】
ガラス板上に、基材として使用する、インプリント成形モールド１１よりも大きいポリエチレンナフタレート（ＰＥＮ）シート（帝人株式会社製  商品名  Ｑ６５ＨＡ）を固定し、フィルム上のモールドの四隅に相当する位置に厚み１．０ｍｍのシクネスゲージ（隙間ゲージ）を設置する。
【００６６】
熱硬化性のジメチルシロキサン樹脂溶液（信越化学工業社製  商品名  Ｘ−３２−３２７９Ａ／Ｂ）をＰＥＮシート上に滴下し、上からアライメントマーク１２が設けられたインプリント成形モールド１１を凹凸を形成した面を下に向けて気泡が入らないようにして押し付けた。モールド１１全体に適度な荷重をかけて、該樹脂が流動し、該樹脂の厚みが全体に均一になるようにした。面内の厚み均一性は、デジタルシクネスゲージを使って測定箇所の最大膜厚と最小膜厚との差で評価し、１０箇所の測定におけるその差が０．１ｍｍ以下になるまで全体を均一にした。その後、樹脂溶液を１５０℃で１時間加熱硬化させたうえで、シクネスゲージ(隙間ゲージ）を外し、ＰＥＮシートをインプリント成形モールドと同じ大きさになるようにカッテイングし、硬化樹脂層１３の上にＰＥＮシートが基材として積層されたモールド積層体１０を得た。
【００６７】
ＰＥＮシートを剥離し、モールド積層体１０の厚みを測定したところ、４．０ｍｍであり、インプリント成形モールドの厚みが３．０ｍｍであるから、これより硬化樹脂層１３の厚みは１．０ｍｍで、最大膜厚と最小膜厚の差は０．１ｍｍと優れたものであった。
【００６８】
以上、本発明のモールド積層体１０の積層工程について説明したが、次に搬送ステージ２２の面内角度制御工程について説明する。
【００６９】
（印刷用版胴の製造装置）
【００７０】
図２は、本発明に係る印刷用版胴２１の製造装置の概略平面図である。
【００７１】
本発明の製造装置は、図２に示すように、設置台２０、印刷用版胴２１、印刷用版胴駆動部２１１、搬送ステージ２２、ステージ搬送用の一対のガイド２７、搬送ステージ２２上に固定されるモールド積層体１０、２台の第一のアライメントカメラ２３及び２台の第二のアライメントカメラ２４、カメラ用のガイドレール２８及び２８１、カメラ支持柱２９及び２９１並びにコンピューター２５等を有する。以下、これらについて詳細に説明する。
【００７２】
設置台２０の上面には、長手方向に沿って設置台２０に支持された一対のガイド２７が延在されており、これら一対のガイド２７には、たとえば石定盤のような平坦で硬い搬送ステージ２２が摺動自在に設けられている。搬送ステージ２２は、長手方向がガイド２７の延在方向に向くように配置され、ガイド２７により設置台２０上を往復運動できるよう支持されており、図示しない駆動装置により駆動されてガイド２７に沿って往復運動する（図２の矢印Ｘ方向でガイド２７と平行）。又、搬送ステージ２２の中心部には面内回転軸３８が設けられており、駆動装置（図示しない）により駆動され、搬送ステージ２２自身が面内回転する。
【００７３】
搬送ステージ２２には、該駆動装置とともに、搬送ステージ２２をガイド２７に沿って±１μｍの精度で移動可能な制御装置、面内角度制御装置及び各々の検知装置（該制御装置及び検知装置は図示しない）が設けられている。さらに後述する印刷用版胴２１の回転速度に同期搬送させる機能も設けられており、コンピューター２５のコントローラー（図示しない）により動作制御される。
【００７４】
又、搬送ステージ２２には、搬送対象であるモールド積層体１０を固定するための吸着機構（図示しない）が設けられている。具体的には搬送ステージ２２の中心部に吸着用のスリット（図示しない）があり、ステージ２２は真空ポンプ（図示しない）と接続されている。該スリットが埋まるようにモールド積層体１０を配置し、真空ポンプを稼働することで該スリットを通じて、モールド積層体１０が真空吸着され、搬送ステージ２２に固定される。
【００７５】
モールド積層体１０は、２台の第一のアライメントカメラ２３の視野内にモールド積層体１０が入るように搬送ステージ２２の上面に真空吸着され、固定される。具体的固定方法については後述する。
【００７６】
設置台２０の中央部には、印刷用版胴２１が設けられ、その機械軸方向（ＭＤ；版胴２１の長軸方向（ＴＤ）に垂直で版胴中心を通る線３１の方向）が搬送ステージ２２の移動方向（矢印Ｘ方向）と平行になるように配置されていて、印刷用版胴２１のＭＤ線３１の延長線上に搬送ステージ２２の面内回転軸３８が重なるように配置される。印刷用版胴２１は駆動軸２１２により駆動装置２１１と連結され、駆動装置２１１は設置台２０に固定されている。又、印刷用版胴２１は搬送ステージ２２の移動方向に鉛直な方向（図２の紙面に垂直又は図４（Ａ）の矢印Ｚ方向）に昇降運動することもできる。駆動装置２１１には印刷用版胴２１を版胴２１の外周長さとして±１μｍの精度で回転可能な機能、及び昇降方向で±１μｍの精度で昇降可能な機能が備わるとともに、版胴２１の回転角度及び昇降位置の検知装置も設けられており、後述されるコンピューター２５のコントローラー（図示しない）により動作制御される。
【００７７】
第一のアライメントカメラ２３及び第二のアライメントカメラ２４並びに搬送ステージ２２及び印刷用版胴２１の駆動制御装置は、コンピューター２５内のコントローラー（図示しない）と接続されている。コンピューター２５は、所謂パーソナルコンピューターで構成されており、ＣＰＵを制御主体として、メモリ、入力部、出力部を備え、各アライメントカメラ２３及び２４に対応する画像入力部及び画像メモリを備え、カメラ２３及び２４で撮影された撮像図を画像処理する機能が備わる。
【００７８】
２台の第一のアライメントカメラ２３（ＣＣＤ撮像素子またはＣＭＯＳ撮像素子を使用したカメラ）は、モールド積層体１０内のアライメントマーク１２に向かうように配置される。各々のカメラ２３は、印刷用版胴２１の長軸方向(ＴＤ）に沿うように設けられたガイドレール２８に移動可能に案内される。ガイドレール２８の両端は２本の支持柱２９で支持されており、ガイドレール２８と一体となって搬送ステージ２２を跨ぐように設置台２０に固定される。
【００７９】
各々の第一のアライメントカメラ２３には、予めカメラの視野内に十字状のカメラマーク３３が設けられており、カメラ２３をガイドレール２８に沿って移動させると、カメラマーク３３もガイドレール２８に沿って、すなわち印刷用版胴２１のＴＤに平行に移動する。カメラ２３は、カメラの視野内にアライメントマーク１２が入るまで平行移動させたのちに固定される。カメラ２３のストロボ光源を発光させ、モールド積層体１０に照射したストロボ光の反射光を、カメラ２３本体に入力させることにより、モールド積層体１０中のアライメントマーク１２と共にカメラマーク３３も撮影され、得られた撮像図情報は後述するコンピューター２５へ送られる。
【００８０】
又、第一のアライメントカメラ１台につき、１つのアライメントマーク１２が撮影される。図２には、モールド積層体１０が搬送ステージ２２に固定された状態が示されているが、たとえばこのマーク１２が、モールド積層体１０の左上方の隅近傍に配置されている場合には、２台の第一のアライメントカメラの内、左側のカメラにより撮影され、右上方の隅近傍に配置された２つ目のマークは右側のカメラで撮影される。
【００８１】
２台の第一のアライメントカメラ２３により別々に撮影された２枚の撮像図は画像処理され、２つのアライメントマーク１２と２つのカメラマーク３３の合計４つのマークが同時に撮影された１枚の合成撮像図として得られる。この撮像図における４つのマークの相対位置関係は実際の相対位置関係と同じに維持されている。このような合成撮像図は、例えば以下の操作によって得られる。
【００８２】
まず、第一のアライメントカメラ２３により、１つのアライメントマーク１２と１つのカメラマーク３３を撮影し、得られた撮像図を画像処理して、アライメントマーク１２とカメラマーク３３との距離及び印刷用版胴のＴＤに対する角度を算出する。前者のアライメントマーク１２とカメラマーク３３との距離は、カメラ視野内にスケールバーを設け、被撮影物と共に撮影された撮像図を画像処理により撮像図中のアライメントマーク１２の中心点とカメラマーク３３の中心点との距離を実長に変換することによって得られる。
【００８３】
又、後者の印刷用版胴２１のＴＤとの相対角度については、これも画像処理操作の一つとして、撮像図中のカメラマーク３３を起点とする印刷用版胴２１のＴＤに平行な線を撮像図中で引いたうえで、アライメントマーク１２の中心点とカメラマーク３３の中心点とを結ぶ線分も引き、両線のなす角度を求めることによってなされる。
【００８４】
もう一台の第一のアライメントカメラ２３により、上記と同様に、もう１つのアライメントマーク１２ともう１つのカメラマーク３３との距離及び印刷用版胴のＴＤに対する角度が算出される。
【００８５】
２台の第一のカメラ２３間の距離は各々のカメラがガイドレール２８上で固定されており計測可能で、これより２台のカメラの中のカメラマーク３３の中心点間の距離を求めることができる。そして、このカメラマーク間の距離と、上記の操作で算出されたそれぞれのアライメントマーク１２の中心点とアライメントカメラ３３の中心点との距離及び印刷用版胴のＴＤに対する角度から、実際と同じ位置関係にある２つのアライメントマーク１２と２つのカメラマーク３３とが撮影された１枚の撮像図として得ることができる。
【００８６】
撮像図の画像処理の方法は公知の方法により処理される。例えば、上記で得られた撮像図はコンピューター２５のコントローラー内に送られ、前処理として、図２で示されるようなＸ方向とＹ方向のそれぞれの方向に微小画素として分解された上で、２値化、フィルター処理及びグレー処理などが行われ、さらに計測処理として、パターンマッチングにより画像データから寸法などが計測されて、その処理結果はコントローラーを介して制御装置に信号として送られる。
【００８７】
以上のような操作により得られた典型的な撮像図が図３に示されている。この撮像図から、２つのアライメントマーク１２の中心点を結ぶ線分３５と、２つのカメラマーク３３の中心点を結ぶ線分３４との方向角３７（Θ）をコンピューター２５内で演算した上で、コンピューター２５内のメモリーに記憶される。より詳細については、後述される搬送ステージ２２の角度制御工程のところで説明する。
【００８８】
２台の第二のアライメントカメラ（ＣＣＤ撮像素子またはＣＭＯＳ撮像素子を使用したカメラ）２４は、印刷用版胴２１上に設けられた２つのアライメントマーク７１（図７）に向かうように配置される（図２）。この２つのアライメントマークは、印刷用版胴２１の特定位置２６における印刷用版胴のＴＤと平行な線上に設けられる。
【００８９】
当該マーク７１は、インプリント成形モールド１１上に形成されたマークの場合と違って、上に樹脂や基材等の視認性を損なうものがないため、アライメントカメラ２４によってマーク７１は容易に認識できるので、マークとして視認できるものであれば特に限定されない。例えば、色付きフィルムをアライメントマーク１２のような十文字状又は円形状にしたものをマーク７１として使っても良い。
【００９０】
各々の第二のアライメントカメラ２４の視野内には十字状のカメラマーク７２が設けられており（図７）、印刷用版胴２１のＴＤに沿うようにガイドレール２８１が設けられており、各々のカメラ２４はこのガイドレール２８１に移動可能に案内される（図２）。第二のアライメントカメラ２４は視野内にアライメントマーク７１が入るまで、ガイドレール２８１に沿って平行移動したのちに固定される。ガイドレール２８１の両端は２本の支持柱２９１で支持されており、ガイドレール２８１と一体となって搬送ステージ２２を跨ぐように設置台２０に固定される（図２）。第二のアライメントカメラ２４にも上記の第一のアライメントカメラ２３の場合と同様に、得られた撮像図情報は後述するコンピューター２５へ送られる。
【００９１】
第二のアライメントカメラ２４の場合についても、カメラ１台につき、１つのアライメントマーク７１が撮影される。図２に印刷用版胴２１及びアライメントカメラ２４の平面図が示されているが、たとえば１つ目のアライメントマーク７１が印刷用版胴２１の右隅近傍に配置されている場合には、２台のアライメントカメラの内、右側のカメラにより撮影され、左隅近傍に配置された２つ目のマークは左側のカメラで撮影される。
【００９２】
又、第二のアライメントカメラ２４により別々に撮影された２枚の撮像図は画像処理され、２つのアライメントマーク７１と２つのカメラマーク７２の合計４つのマークが同時に撮影された１枚の合成撮像図として得られる。この撮像図における４つのマークの相対位置関係は実際の相対位置関係と同じに維持されている。このような合成撮像図を得る操作方法については、第一のアライメントカメラ２３によって得られる合成撮像図の場合と同様である。
【００９３】
コンピュター２５に内蔵される図示しないコントローラーにより、得られた画像処理後の情報を下に、印刷用版胴２１の昇降位置、回転角度及び回転数は制御され、搬送ステージ２２は所定の面内角度だけ回転するように制御され、さらに所定量及び所定速度で印刷用版胴２１側へ移動するように制御される。
【００９４】
以上、本発明の製造装置の概要及びその機能について説明した。次に搬送ステージ２２の面内角度制御工程について説明する。
【００９５】
（面内角度制御工程）
本工程においては、最初にモールド積層体１０を搬送ステージ２２上に、この積層体１０内の２つのアライメントマーク１２のそれぞれが２台の第一のアライメントカメラ２３の視野に入るように固定される。ここでは、モールド積層体１０を固定する前に、まずモールド積層体の中の１つ目のアライメントマーク１２が１台目のカメラ２３の視野内に入るように、モールド積層体１０を搬送ステージ２２上に仮置きしてから、２つ目のマーク１２が２台目のカメラ２３の視野内に入るように、カメラ２３をガイドレール２８上で移動させつつモールド積層体１０の配置位置も調整しながら、視野に入るのを確認する。
【００９６】
そして、カメラ２３を固定すると共にモールド積層体１０を、搬送ステージ２２に設けられた吸着機構を用いて調整後の配置位置に吸着固定する。モールド積層体１０の配置位置の調整は搬送ステージ２２をガイド２７に沿って前後搬送させることによって調整される。図２には同じく、モールド積層体１０が搬送ステージ２２上に固定された状態にあるその概略平面図を示した。
【００９７】
モールド積層体１０を搬送ステージ２２上に固定する方法としては、本実施形態の方法
に限定されず、たとえば一例として、モールド積層体１０のおよその固定位置を決めてか
ら、搬送ステージ２２上に粘着シートを貼りつけて、その上にモールド積層体１０を固定
するといったような方法でもよい。
【００９８】
接着処理する場合や粘着シートを貼りつける場合には、接着層又は粘着シートの厚みはできるだけ薄くなるようにして固定するのが好ましい。好ましい厚みとしては、１００μｍ以下である。
【００９９】
このようにモールド積層体１０を固定した上で、モールド積層体１０中に設けられたアライメントマーク１２を、アライメントマーク１２に向かって設置された第一のアライメントカメラ２３によって検知し、２つのアライメントマーク１２の中心点を結ぶ線分３５（図３にて示した）の方向が、印刷用版胴２１のＴＤ（軸方向）線３２の方向と平行になるように搬送ステージ２２の面内角度を制御する。
【０１００】
２つのアライメントマーク１２を結ぶ線分を版胴２１のＴＤに平行にすることによって、モールド積層体１０内のインプリント成形モールド１１に形成されたパターンライン３６と版胴２１のＴＤとを平行にすることができ、後述するモールド積層体１０の貼合・離間工程において、版胴２１上に版胴２１のＴＤと平行なパターンラインが転写される。
【０１０１】
図３（Ａ）に、典型例として、第一のアライメントカメラ２３により撮影された２つのアライメントマーク１２の撮像図を２つのカメラマーク３３と共に示す。尚、この図の上部には、本工程が容易に理解されるために、印刷用版胴２１の機械軸方向（ＭＤ）線３１及び長軸方向線（ＴＤ線）３２とを併記し、これらの線分（３１及び３２）の方向と、２つのアライメントマーク１２の中心点を結ぶ線分３５との角度関係が明瞭になるようにした。又、全体の態様が理解されやすいように、モールド積層体１０及び搬送ステージ２２も併記した。
【０１０２】
図３（Ａ）では、２台の第一のカメラ２３の視野内に２つのアライメントマーク１２が入るように、モールド積層体１０の搬送ステージ上への固定位置を調整したものの、目的とする２つのアライメントマーク１２の中心点を結ぶ線分３５の方向が、２つのカメラマーク３３の中心点を結ぶ線分３４の方向、すなわち印刷用版胴２１のＴＤ線３２の方向に対してずれていることが示されている。このずれ角を方向角３７（Θ）とする。
【０１０３】
図３（Ｂ）に、搬送ステージ２２を回転軸３８中心に時計回りに、２本の線分３４と３５が回転により、そのずれが補正されるように回転させた場合の撮像図を示した。このように搬送ステージ２２を所定の角度（この場合は方向角３７（Θ））面内回転させることによって、モールド積層体１０内の２つのアライメントマーク１２の中心点を結ぶ線分３５を、２つのカメラマークの中心点を結ぶ線分３４に対して、すなわち印刷用版胴２１のＴＤ線３２に対して平行に制御することができる。平行の程度は目的とするインプリント対象によって異なるが、方向角３７が０．１°以下となるように回転させることが好ましく、０．０１°以下がより好ましく、０．００５°以下がさらに好ましい。
【０１０４】
図中には２つのアライメントマーク１２に平行なパターンライン３６も示してあるが、以上の角度制御により、すなわち目標であるモールド積層体１０中に設けられたパターンライン３６の方向と印刷用版胴２１のＴＤとを平行にすることができる。
【０１０５】
（昇降位置の位置決め工程）
次に印刷用版胴２１の昇降位置の位置決め工程について説明する。
この工程では、まず印刷用版胴２１の昇降位置を、モールド積層体１０が印刷用版胴２１側に水平移動（ガイド２７が延在する方向に沿って）して、両者が貼合されるように制御する。
【０１０６】
この印刷版胴２１の昇降位置の制御方法についての理解をより容易にするために、この次の工程であるモールド積層体１０の貼合・離間工程の概要について説明しておく。
【０１０７】
図４（Ａ）には、この次の貼合・離間工程で実施される、モールド積層体１０と印刷用版胴２１との貼合状態が示されている。この図では、印刷用版胴２１の上に設けられた特定位置２６と、モールド積層体１０中に設けられた２つのアライメントマーク１２（一つは図示されず）とが、印刷用版胴２１の最下点４１で重なり合わされて貼合される状態が示されている。図８（Ａ）、（Ｂ）に示されるが、特定位置２６に設けられた２つのアライメントマーク７１（図示されない）は、印刷用版胴２１の最下点で版胴２１の長軸方向（ＴＤ）に沿った線上、すなわちニップライン上にて、重ね合わされて貼合されることになる。又、図４（Ｂ）には、さらに工程が進み、インプリント成形モールド１０が離間される状態も示されている。
【０１０８】
このように、モールド積層体１０の貼合・離間工程の概要から分かるように、印刷用版胴２１とモールド積層体１０との貼合をなすためには、印刷用版胴２１の昇降位置を、モールド積層体１０が搬送ステージ２２により印刷用版胴２１側へ水平移動して、印刷用版胴２１のニップライン上にて貼合されるような位置に制御する必要がある。
【０１０９】
このことは、印刷用版胴２１の最下点４１の昇降位置を、搬送ステージ２２の高さ４２（図５）に、モールド積層体１０の厚み４３を加えてなる昇降位置に制御することによってなされる。
【０１１０】
搬送ステージ２２の高さ４２は、図５に示されているように、搬送ステージ２２の左端部を印刷用版胴２１の真下近傍まで移動させ、印刷用版胴２１を降下させながら搬送ステージと接触させた場合のステージ２２の高さを表す。この値は、設置台２０の上にガード２７を介して載置された搬送ステージ２２の高さを、例えば高精度高さ測定器等を使って実測することによって求められる。高さはこのときの印刷用版胴２１の昇降位置を搬送ステージ２２の高さ４２として、一旦コンピューターのメモリに記憶させておき、これにモールド積層体１０の厚みを加えた値を再度メモリにインプットする。
【０１１１】
実際に、印刷用版胴２１がモールド積層体１０と貼合される場合、印刷用版胴２１をモールド積層体１０の深さ方向に圧接されるようにして貼合される。圧接される程度は、モールド積層体１０中の硬化樹脂層１３の厚みに対して、０．１〜１０％であることが好ましい。この圧接の程度は、硬化樹脂層１３の厚みや材質によっても変わり、より好ましくは０．５〜５％である。
【０１１２】
前述のモールド積層体１０の積層工程における実施例で得られた硬化樹脂層１３の厚みは１．０ｍｍであったから、圧接の程度は１〜２００μｍが好ましく、５〜１００μｍがより好ましい。
【０１１３】
このようにして求めたモールド積層体１０の圧接分を上記のメモリに記憶された昇降位置に反映させて、印刷用版胴２１の昇降位置を決める。
【０１１４】
尚、前記したように、モールド積層体１０を搬送ステージ２２に固定するために接着剤等を用いる場合もあるが、昇降位置には影響されない程度に薄い場合は、考慮しなくてもよい。
【０１１５】
（特定位置の位置決め工程）
次に、印刷用版胴２１上に設けられた特定位置２６と、モールド積層体１０内の２つのアライメントマーク１２の中心点を結ぶ線分３５とを重ね合わせて貼合するための、印刷用版胴２１及び搬送ステージ２２の位置合わせ工程について説明する。
【０１１６】
図４（Ａ）は同じく、搬送ステージ２２上に固定されたモールド積層体１０の貼合・離間工程を示す概略側面図である。この図は、上記のごとく、印刷用版胴２１の上に設けられた特定位置２６（ＴＤ方向の線分）と、モールド積層体１０中の２つのアライメントマーク１２の中心点を結ぶ線分とを重ね合わされて貼合されている態様である。この態様にするためには、上記のような印刷用版胴２１の昇降位置の調節に加えて、モールド積層体１０内の２つのアライメントマーク１２と印刷用版胴２１上の特定位置２６とが、印刷用版胴２１のニップライン上で貼合されるように制御する必要がある。
【０１１７】
最初に搬送ステージ２２の貼合前の初期位置を決め、その位置から貼合するまでの搬送ステージ２２の必要移動量を求める。次に同様にして、印刷用版胴２１の特定位置２６の初期角度を決め、その角度から貼合されるまでの必要回転角度を求める。求められた搬送ステージ２２の必要移動量と印刷用版胴２１の必要回転角度とをコンピューター２５のメモリに記憶させた後で、コントローラーにより、貼合離間時に、印刷用版胴２１を回転させつつ、搬送ステージ２２を印刷用版胴２１の回転速度に同期移動させながら所定量移動させて、モールド積層体１０の２つのアライメントマーク１２の中心点を結ぶ線分と印刷用版胴の特定位置２６とを貼合させる。
【０１１８】
搬送ステージ２２の貼合前の初期位置は、モールド積層体１０内の２つのアライメントマーク１２の中心点を結ぶ線分３５を２つのカメラマーク３３の中心点を結ぶ線分３４に重ねあわせることによって決めることができる。これについては、前記図３（Ｂ）の搬送ステージ２２の面内角度制御工程の場合を用いて説明する。図３（Ｂ）で示されたように、２つのカメラマーク３３の中心点を結ぶ線分３４と、モールド積層体１０中に設けられた２つのアライメントマーク１２の中心点を結ぶ線分３５とが、お互いが平行になるように、すでに搬送ステージ２２の面内角度は制御されているが、２本の線分同士が重なり合っていない、すなわち搬送ステージ２２のＸ方向（図２及び図３（Ｂ）の上下方向）の位置がずれている（位置ずれ３９（α））ことが示唆される。
【０１１９】
面内角度制御工程の場合と同様、この２本の線分（３４と３５）の位置ずれ３９（α）をコンピューター内で位置ずれ量として演算することができる。そして位置ずれ量を補正するように搬送ステージ２２を搬送させる（この場合には図３（Ｂ）の矢印方向に搬送される）。上記２本の線分が重なり合って、搬送ステージが初期位置に配置された場合の状態を図６に示した。重なり合った時の搬送ステージ２２の位置を初期位置としてコンピューターのメモリ内にインプットしておく。
【０１２０】
この搬送ステージ２２の初期位置から搬送ステージ２２を印刷用版胴側２１へ水平搬送させ、モールド積層体１０のアライメントマーク１２が印刷用版胴２１の特定位置２６と、印刷用版胴２１の最下点、すなわちニップライン上で重なり合うまでの搬送ステージの移動量が、搬送ステージ２２の必要移動量となる。ここで、この初期位置から印刷用版胴２１のニップラインまでの必要移動量は、コンピューター内で演算される。
【０１２１】
この移動量は、図４（Ａ）に示されるように、ステージ２２を版胴２１とモールド積層体１０とが重なり合う位置まで初期位置から搬送させた場合の移動量であり、搬送後のステージ２２の位置を、初期位置を決めたのと同様にして、ガード２７上の位置として検知し、このガード２７上の位置から、先で求めたステージ２２の初期位置との差から求めることができる。この移動量はコンピューター内に記憶される。尚、搬送後のステージ２２のガード２７上の位置は、印刷用版胴の最下点４１直下（図４（Ａ）のＺ方向と逆方向）のガード２７上の位置でとして求めることができる。
【０１２２】
一方、図７（Ａ）にて示されるように、前述の角度制御工程の場合と同様に、印刷用版胴２１上の特定位置２６に、中心点を結ぶ線分が印刷用版胴のＴＤ線３２と平行になるように２つのアライメントマーク７１を設ける。
【０１２３】
当該マーク７１は、前述したインプリント成形モールド上に形成されたマークの場合と違って、上に樹脂や基材等の視認性を損なうものがないため、第二のアライメントカメラ２４によって容易に認識できるので、マークとして視認できるものであれば特に限定されない。例えば、色付きフィルムでアライメントマーク１２のような十文字状又は円形状にしたものをマーク７１として使っても良い。
【０１２４】
アライメントマーク７１の印刷用版胴２１上の初期角度は以下のようにして求められる。図７に示されたように、アライメントカメラ２４は、搬送ステージ２２の面内角度制御工程の場合と同様、２つのアライメントマーク７１の中心点を結ぶ線分７３とカメラマーク７２の中心点を結ぶ線分７４の２本の線分との位置ずれ７５（β）を、コンピューター内で印刷用版胴２１の回転角度として演算する。
【０１２５】
そして、印刷用版胴２１をこのずれ角度を補正するように回転させて、図７（Ｂ）に示されるように、２本の線分（７３と７４）とを重ねあわせる。この場合のアライメントマーク７１の位置を初期角度８１（ω）として得た（図８（Ａ））。ここで、初期角度８１（ω）とは、印刷用版胴２１の最下点４１から初期角度の位置におけるアライメントマーク７１の角度とした（図８（Ａ）には印刷用版胴２１の初期位置を表す概略側面図を載せた）。
【０１２６】
すなわち、この初期角度８１（ω）が貼合するのに必要な回転角度となる。尚、図８Ａでは、貼合されるまでの角度がωの場合を示したが、印刷用版胴２１の初期位置がこの場合よりも高い位置にあり、貼合までに一回転以上要する場合には、ωにその回転数分の角度（３６０°×回転数）が加えられたものが初期角度となる。
【０１２７】
（貼合・離間工程）
以上、印刷用版胴２１及び搬送ステージ２２の位置決めについて説明したが、前記されたように、印刷用版胴２１及び搬送ステージ２２はコンピューター２５のコントローラーにより、印刷用版胴２１の回転角度及び回転数に同期させて搬送ステージ２２を所定の速度で所定量水平移動することができる。
【０１２８】
したがって、前述の工程にて算出された、搬送ステージ２２がモールド積層体１０のアライメントマーク１２と印刷用版胴２１の特定位置２６とが重なり合うまでに搬送される搬送量の情報と、印刷用版胴２１のニップライン上でモールド積層体１０のアライメントマーク１２と重なり合うまでの回転角度８１（ω）の情報とをコンピューター２５のメモリーにインプットし、コントローラーにより、印刷用版胴２１を回転させながら、搬送ステージ２２の移動速度を印刷用版胴２１の回転速度に同期させつつ所定量移動させることによって、モールド積層体１０のアライメントマーク１２と印刷用版胴の特定位置２６とを貼合させることができる（図４（Ａ））。
【０１２９】
モールド積層体１０を印刷用版胴２１に貼合する方法としては、特に限定されるものではないが、印刷用版胴２１の円筒面を予めシランカップリング剤（信越化学工業社製）による接着処理しておいたり、予め粘着シートを貼りつけておいて、その上にモールド積層体１０を貼合するといったような方法でもよい。
【０１３０】
尚、粘着テープの場合には、それ自体の厚みが厚すぎたり、厚み斑があったりする場合には使用に適さない。
【０１３１】
以上のような方法によってモールド積層体１０を印刷用版胴２１に貼合する場合の接着力は、貼合・離間工程において、モールド積層体１０から硬化樹脂層１３とインプリント成形モールド１１とが離間される、所謂剥離力よりも大きくなるように調整される。
【０１３２】
引き続き、印刷用版胴２１を回転させながら搬送ステージ２２を水平搬送することにより、パターン転写された硬化樹脂層１３は印刷用版胴２１上に貼合されると同時に、インプリント成形モールド１１が搬送ステージ２２上に固定されたままの状態で、モールド積層体１０から離間される（図４（Ｂ））。すなわち、硬化樹脂層１３は、インプリント成形モールド１１から剥離するのと同時に版胴２１の円筒面に貼合される。このため、インプリント成形モールドから薄い硬化樹脂層１３を剥離させ、該硬化樹脂層を印刷用版胴に貼合する方法と比較して硬化樹脂層における変形や歪の発生が少ないという特徴を有する。
【０１３３】
印刷用版胴２１及び搬送ステージ２２の動作速度については、上述したモールド積層体１０と成形モールド１１との剥離力、硬化樹脂層１３の性状などにより適宜調整される。
【０１３４】
以上説明したように、本発明の印刷用版胴の製造法及び製造装置によれば、手作業を大幅に減らし、短時間で簡便にかつ高精度で、印刷用版胴の所望する位置に、微細転写パターンを貼合することができる。
【０１３５】
本発明では、上記の製造方法及び製造装置の機能を用いることにより、印刷用版胴２１上に形成された転写パターンの貼合前後のパターン歪を測定することが可能である。ここでパターン歪とは、インプリント成形モールド１１のメインパターン領域１０１１またはアライメントパターン領域１０１２内の２点間の搬送ステージ２２搬送方向の長さ１に、印刷用版胴の円筒面に貼合することによりパターンが伸長する分の補正を加えた長さ２と、印刷用版胴２１に貼合された硬化樹脂層１３内の転写後の該２点間の搬送ステージ２２搬送方向の長さ３との差を意味する。
【０１３６】
＜実施例２＞
以下に、その測定方法については説明する。
＜貼合・離間前のパターン歪測定例＞
図９（Ａ）に示されているように、４つのアライメントマーク領域が右上隅と左上隅と右下隅と左下隅となるように配置し、左上隅と右上隅の２つのアライメントマーク１２の中心位置を結ぶ線分３５、及び右下隅と左下隅の２つのアライメントマーク１２の中心位置を結ぶ線分９３５は、このインプリント成形モールド上で、メインパターン領域１０１１のパターンラインに平行になるように設けた以外は実施例１と同じ、インプリント成形モールドを作製した。ここで、線分３５と線分９３５間の長さ（距離）を凸凹パターン領域間の長さとよぶ。
【０１３７】
形成された各アライメントマークは、直径が１５０μｍの円形であった。４つのアライメントマークの中心の位置は、角から２３．５ｍｍ、２３．５ｍｍ離れた位置であった。
【０１３８】
アライメントマークを設ける方法は、前記のモールド積層体１０の積層工程の実施例１に従って、モールド積層体１０を得た。
【０１３９】
ここで得られたモールド積層体１０を上記の角度制御工程に行ったのと同様にして、図９（Ａ）に示されるように、第一のアライメントカメラ２３の視野の中に、モールド積層体１０内のインプリント成形モールド１１に設けられた２つのアライメントマーク１２が観察できるように、モールド積層体１０を搬送ステージ２２上に固定する。
【０１４０】
図９（Ａ）では、隣の凸凹パターン領域内に設けられた２つのアライメントマーク９１２も撮影されているが、前述した４点を一枚の撮像図とした場合と同様の方法にて、６点（２つのアライメントマーク１２及び２つのマーク９１２並び２つのカメラマーク３３）が一枚の撮像図として得られるように画像処理した。
【０１４１】
次に前述の面内角度制御工程及び位置決め工程の場合と同様にして、搬送ステージ２２の面内方向の角度制御及び位置決め制御を行った。図９（Ａ）には、両工程後の撮像図が示されている。まず角度制御工程については、図９（Ａ）に示されているように、パターン中に設けられたアライメントマーク１２の線分３５とカメラマーク線分３４との方向調整が実施され、マーク１２の線分３５と印刷用版胴２１のＴＤ線３２の方向とが平行であることが示されている（すなわちカメラマーク線分３４とも平行）。
【０１４２】
引き続いて、２本の線分の重ね合わせによる位置決めを実施した場合も、同じく図９（Ａ）に示される。アライメントマーク線分３５とカメラマーク線分３４とが重なり合っているときの、搬送ステージ２２のその位置を初期位置とした。それから、第一のアライメントカメラ２３の視野内で、今度はカメラマーク線分３４と隣の凸凹パターン領域に設けられたアライメントマーク９１２の線分９３５とが重なり合うまで、搬送ステージ２２を上方搬送（図２及び図９（Ａ））させて、搬送ステージ２２の初期位置からの水平移動量を求める。図９（Ｂ）には、カメラマーク線分３４と隣の凸凹パターン領域に設けられたマーク９１２の線分９３５とが重なり合っている状態の撮像図が示されている。このようにして求められた搬送ステージ２２の水平距移動量が、すなわちインプリント成形モールドの凸凹パターン領域間の長さとなる。
【０１４３】
以上のような工程を経て測定されたインプリント成形モールドの凸凹パターン領域間の長さ１は２５０．００ｍｍであった。
【０１４４】
（貼合・離間後の歪測定）
次に、貼合・離間後のパターン歪を測定する。
【０１４５】
上記の２つの凸凹パターン領域を有するモールド積層体１０を用い、本発明の貼合・離間工程に従って、硬化樹脂層１３からなる転写パターン層が貼合された印刷用版胴４０を得た。
【０１４６】
印刷用版胴２１の位置決め工程の場合と同様に、印刷用版胴２１に向かって設置された第二のアライメントカメラ２４を用いて、アライメントカメラ２４の視野内に、１つ目の凸凹パターン領域内に設けられた２つのアライメントマーク１０１２が入るように、印刷用版胴２１を相当分回転させた。
【０１４７】
ここで、２つのアライメントマーク１０１２とは、上記の貼合・離間前のモールド積層体１０内のインプリント成形モールド１１に設けられた２つのアライメントマーク１２が、メインパターンと共に、印刷用版胴２１上の硬化樹脂層１３に転写されたもので、アライメントマーク１２が凸状の円形なのに対して、アライメントマーク１０１２は転写されて凹形状の円形になる。貼合後はマーク上に樹脂や基材などが無いため、貼合前のように視認性の良い含金属膜１２０なしでも、第二のアライメントカメラ２４によるマークの視認が可能であった。アライメントマーク１０９１２の形状もマーク１０１２と同様で凹状の円形であった。
【０１４８】
図１０（Ａ）にその場合の第二のアライメントカメラ２４による撮像図を示す。図中、アライメントマーク１０１２、これらのマーク１０１２の中心点を結ぶ線分１０３、隣の凸凹パターン領域内のアライメントマーク１０９１２、これらのマーク１０９１２の中心点を結ぶ線分１０４、２つのカメラマーク７２及びカメラマーク線分７４が示されている。
【０１４９】
同じく、印刷用版胴２１の位置決め工程の場合と同様に、第二のアライメントカメラ２４に設けられ印刷用版胴２１のＴＤ線３２に平行なカメラマーク線分７４に、印刷用版胴２１上のアライメントマーク線分１０３が重なるように、版胴２１の角度を制御した。図１０（Ａ）には版胴２１の角度制御後の撮像図が示されている。この場合の版胴２１の角度を初期角度とした。尚、この初期角度とは、版胴２１の最下点４１からアライメンマーク線分１０３までの角度とした。
【０１５０】
同様に、第二のアライメントカメラ２４の視野内に隣のパターン内に設けられた２つのアライメントマーク１０９１２が入るように版胴２１を回転させて、２つのアライメントマークの中心点を結ぶ線分１０４とカメラマーク線分７４とが重なるように版胴２１を回転させた。回転後の角度を２番目の角度とした。２番目の角度も印刷用版胴２１の最下点からアライメントマーク線分１０４までの角度である。図１０（Ｂ）に２本の線分が重なり合った場合の撮像図を示した。このようにして求められた初期角度と２番目の角度との差を印刷用版胴２１の外周長さに換算して、これを印刷用版胴２１上に転写されている各々の凸凹パターン領域間の長さとして求めた。
【０１５１】
以上のような測定方法によって求められた印刷用版胴２１上に転写されたパターンの凸凹パターン領域間の長さ３（１０５）は２５０．８９ｍｍであった。
【０１５２】
貼合前のインプリント成形モールドの凸凹パターン領域間の長さ１は２５０．００ｍｍであったが、印刷用版胴２１に貼合することで硬化樹脂層１３の厚みと印刷用版胴２１の曲率に応じて、樹脂層が湾曲し、パターンがわずかに伸長する。硬化樹脂層１３の厚みと版胴２１の半径から算出される補正を加えた凸凹パターン領域間の長さ２は２５０．９４ｍｍとなるから、印刷用版胴２１上の凸凹パターン領域間の長さ３（２５０．８９ｍｍ）との差であるパターン歪はわずかに０．０５ｍｍ（５０μｍ）と極めて優れたものであった。
【０１５３】
尚、上記の凸凹間パターン間の長さ２は、以下の計算式により補正計算した。
印刷用版胴２１の半径をｒ、硬化樹脂層１３の厚み（印刷用版胴に硬化樹脂層１３を貼合するのに粘着シートなどを用いた場合にはその厚みとの総和）をｔ、さらに印刷用版胴２１の断面図において、印刷用版胴２１上に貼合された硬化樹脂層１３の両端部と印刷用版胴２１の中心とのなす角度をΘとして、凸凹パターン間の長さ（Ｌ’）を下記式により補正する。
Ｌ’＝２×π×（ｒ＋ｔ）×Θ／３６０
実施例２では、r = １７５ｍｍ、t = ２．５０５ｍｍ、及びθ = ８１°であったので、L’ = ２５０．９４ｍｍとなる。
【０１５４】
以上のように、本実施形態によれば、位置合わせに要する手作業を大幅に減らし、短時間で簡便にかつ高精度で、印刷用版胴の所望する位置に歪の小さい微細パターンを形成することができる。
【産業上の利用可能性】
【０１５５】
本発明の製造方法及び製造装置は、例えば、フレキシブルディスプレイやセンサーなどの大面積フレキシブルデバイス等の製造に適用することができる。
【符号の説明】
【０１５６】
１０    モールド積層体
１０１１    メインパターン領域
１０１２    アライメントパターン領域
１１    インプリント成形モールド
１２    アライメントマーク
１３    硬化樹脂層
２０    設置台
２１    印刷用版胴
２２    搬送ステージ
２３    第一のアライメントカメラ
２４    第二のアライメントカメラ
２５    コンピューター
２６    印刷用版胴上の特定点
２７    ガイド
２８    ガイドレール
２８１    ガイドレール
２９    支持柱
２９１    支持柱
３１    ＭＤ線
３２    ＴＤ線
３３    カメラマーク
３４    カメラマーク線分
３５    アライメントマーク線分
３６    パターン線分
３７    カメラマーク線分とアライメントマーク線分との方向角Θ
３８    搬送ステージ面内回転中心軸
３９    位置ずれ  α
４０    硬化樹脂層からなる転写パターン層が貼合された印刷用版胴
４１    印刷用版胴の最下点
４２    搬送ステージ高さ
４３    モールド積層体厚み
７１    印刷用版胴上の特定位置におけるアライメントマーク
７２    カメラマーク
７３    特定位置におけるアライメントマーク線分
７４    カメラマーク線分
７５    位置ずれ  β
８１    初期角度  ω
９１２    隣の凸凹パターン領域内に設けられたアライメントマーク
９３５    隣の凸凹パターン領域内に設けられたアライメントマーク線分
１０１２    転写パターン内のアライメントマーク
１０９１２    転写パターン内の隣のアライメントマーク
１０３    転写パターン内のアライメントマーク線分
１０４    転写パターン内の隣のアライメントマーク線分
１０５    凸凹パターン領域間の長さ
【図１】
0006402059.tif 000002
【図２】
0006402059.tif 000003
【図３】
0006402059.tif 000004
【図４】
0006402059.tif 000005
【図５】
0006402059.tif 000006
【図６】
0006402059.tif 000007
【図７】
0006402059.tif 000008
【図８】
0006402059.tif 000009
【図９】
0006402059.tif 000010
【図１０】
0006402059.tif 000011